【手続補正書】
【提出日】平成15年4月24日(2003.4.24)
【手続補正１】
【補正対象書類名】明細書
【補正対象項目名】全文
【補正方法】変更
【補正の内容】
【書類名】明細書
【発明の名称】引出しを備えた水平型冷凍庫
【特許請求の範囲】
【請求項１】上部冷凍室（２２）と少なくとも１つの下部冷凍室（２１）とを含み、前記上部冷凍室（２２）と前記下部冷凍室（２１）は平板（１０）によって仕切られており、前記上部冷凍室（２２）が上面入口を有し、前記下部冷凍室（２１）が側面入口を有する箱体（８）と；前記上部冷凍室の上面入口を閉塞するための前記箱体（８）の上面に連結された蓋（２）と；滑動支持アセンブリ（１８）によって前記下部冷凍室（２１）に装着された少なくとも１つの引出しと；少なくとも一部が前記箱体（８）に埋め込まれたエバポレータとを含み、前記箱体（８）の外部シェルは、予め別個に形成された上部前面パネル（４）と背面パネル（１３）と２つの対向する側面パネル（１５）とを含み、前記上部前面パネル（４）は、前記箱体（８）の２つの対向する側面パネル（１５）に連結されていることを特徴とする水平型冷凍庫。
【請求項２】前記上部前面パネル（４）が、溶接によって前記２つの対向する側面パネル（１５、１５）に連結されていることを特徴とする請求項１に記載の冷凍庫。
【請求項３】前記上部前面パネル（４）が、ラッピングによって前記２つの対向する側面パネル（１５、１５）に連結されていることを特徴とする請求項１に記載の冷凍庫。
【請求項４】前記エバポレータが、互いに接続されたコイル状管部（１２）と平面状曲折管部（１６）とを含み、前記コイル状管部（１２）は前記箱体（８）の壁に埋め込まれており、前記平面状曲折管部（１６）は前記下部冷凍室（２１）の上部に露出していることを特徴とする請求項１に記載の冷凍庫。
【請求項５】前記コイル状管部（１２）と平面状曲折管部（１６）が、前記下部冷凍室（２１）内で互いに接続されていることを特徴とする請求項４に記載の冷凍庫。
【請求項６】前記コイル状管部（１２）と平面状曲折管部（１６）が、コネクタ（２４）によって互いに接続されていることを特徴とする請求項４に記載の冷凍庫。
【請求項７】上部冷凍室（２２）と少なくとも１つの下部冷凍室（２１）とを含み、前記上部冷凍室（２２）と前記下部冷凍室（２１）は平板（１０）によって仕切られており、前記上部冷凍室（２２）が上面入口を有し、前記下部冷凍室（２１）が側面入口と内部シェルとを有する箱体（８）と；前記上部冷凍室の上面入口を閉塞するための前記箱体（８）の上面に連結された蓋（２）と；滑動支持アセンブリ（１８）によって前記下部冷凍室（２１）に装着された少なくとも１つの引出しと；少なくとも一部が前記箱体（８）に埋め込まれたエバポレータとを含み、前記滑動支持アセンブリ（１８）は、内側滑動支持部（１８ａ）と外側滑動支持部（１８ｂ）とを含み、前記外側滑動支持部（１８ｂ）は、前記内部シェル（５）の２つの対向する側面に沿って長手方向に延伸する２つの案内レール（１８ｂ−１、１８ｂ−２）と、これらと連結された前部横断棒材（１８ｂ−４）および後部横断棒材（１８ｂ−３）とを有し、前記前部横断棒材（１８ｂ−４）は、前記平板（１０）に固定されていることを特徴とする水平型冷凍庫。
【請求項８】前記エバポレータが、互いに接続されたコイル状管部（１２）と平面状曲折管部（１６）とを含み、前記コイル状管部（１２）は前記箱体（８）の壁に埋め込まれており、前記平面状曲折管部（１６）は前記下部冷凍室（２１）の上部に露出していることを特徴とする請求項７に記載の冷凍庫。
【請求項９】前記コイル状管部（１２）と平面状曲折管部（１６）が、前記下部冷凍室（２１）内で互いに接続されていることを特徴とする請求項８に記載の冷凍庫。
【請求項１０】前記コイル状管部（１２）と平面状曲折管部（１６）が、コネクタ（２４）によって互いに接続されていることを特徴とする請求項８に記載の冷凍庫。
【請求項１１】前記コイル状管部（１２）と平面状曲折管部（１６）が、コネクタ（２４）によって互いに接続されていることを特徴とする請求項９に記載の冷凍庫。
【請求項１２】前記後部横断棒材（１８ｂ−３）が、前記箱体（８）の下部冷凍室（２１）の内部シェル（５）の後壁に固定されていることを特徴とする請求項７に記載の冷凍庫。
【発明の詳細な説明】
【０００１】
発明の分野
本発明は、家庭用冷凍庫に関し、特に引出しを備えた水平型冷凍庫に関する。
【０００２】
発明の背景
当該分野で公知の水平型冷凍庫の多くは、上面入口を形成する冷凍室を１つしか有していない。この種類の水平型冷凍庫の冷凍室は、非常に深く、下の方にある冷凍食品は上の方にあるものを取り除かなければ利用できないので、使用しにくく、冷気の一部が失われてしまう。さらに、冷凍室の温度分布が均一なので、様々な種類の食品をそれぞれの所望の冷凍温度で貯蔵することができない。上記の課題を解決するために、引出しを有する水平型冷凍庫の開発を試みる製造業者もある。中国実用新案ＺＬ９２２３６９７１．２は、それぞれが１つ以上の冷凍室を有する上部および下部を有し、上部冷凍室は上面入口を備えていて可動式の蓋で閉塞され、下部冷凍室は引出しを備えている、このタイプの冷凍庫を開示している。冷凍庫のコンプレッサは、下部で側壁に近接して設けられ、空間を最適に利用している。ＺＬ９２２３６９７１．２は、さらに、最適な構造はもちろんのこと、冷凍庫の構造、特に箱体の構造、エバポレータの位置および引出し滑動手段の構造については開示しておらず、商業的利用のためにこれを改善する必要がある。従来の冷凍庫の箱体では、背面パネルは分離した構成要素となっているが、前面パネルは２つの対向する側面パネルと一体形成されている。引出しの入口は前面パネルの下部に形成するのがよいので、このために、箱体の製造は難しくなり、金型のコストが高くなり、冷凍庫の組立が複雑になり、かつ引出しの入口の端部の加工が難しくなり、したがって生産性が低下する。さらに、引出しは、一般に内側滑動支持部と外側滑動支持部とを含む滑動支持アセンブリを用いて箱体に装着され、外側滑動支持部は、箱体内側の対向する側面に直接固定された２つの案内レールを有している。これら２つのレールは変形しやすいので、位置決めしにくく、高い滑動耐性を得にくい。さらに、それらを大量生産することは困難である。
【０００３】
発明の要旨
本発明の目的は、新規な箱体構造を規定し、製造が容易であり、かつ適切なサイズの空間を有する様々な冷凍室を提供する（１つ以上の）引出しを備えた水平型冷凍庫を提供することにより、従来技術の上記欠点を克服することである。
【０００４】
本発明の別の目的は、引出しの組立および支持を改善して生産性を高められるように下部冷凍室に安定した引出し滑動構造を提供する（１つ以上の）引出しを備えた水平型冷凍庫を提供することである。
【０００５】
本発明の１つの局面では、上部冷凍室と少なくとも１つの下部冷凍室とを含み、前記上部と下部の室は平板によって仕切られており、前記上部冷凍室が上面入口を有し、前記下部冷凍室が側面入口を有する箱体と；前記上部冷凍室の上面入口を閉塞するための前記箱体の上面に連結された蓋と；滑動支持アセンブリによって前記下部冷凍室に装着された少なくとも１つの引出しと；少なくとも一部が前記箱体に埋め込まれたエバポレータとを含み、前記箱体の外部シェルは、予め別個に形成された上部前面パネルと背面パネルと２つの対向する側面パネルとを含み、前記上部前面パネルは、前記箱体の２つの対向する側面パネルに連結されている、（１つ以上の）引出しを備えた水平型冷凍庫が提供される。
【０００６】
上記の技術的解決手段では、引出しの入口を箱体の下部に形成するために、従来技術では一体形成されていた箱体が、前面パネルと２つの対向する側面パネルとに分けられ、予め形成する際に分離されている。これらは従来の方法によって互いに連結されるので、組立および製造のコストに利点がある。
【０００７】
本発明の別の局面では、前記滑動支持アセンブリが内側滑動支持部と外側滑動支持部とを含み、前記外側滑動支持部は、それぞれ前記箱体の２つの対向する側面に沿って長手方向に延伸する２つの案内レールと、これらと連結された前部横断棒材および後部横断棒材とを含み、前記前部横断部材は、前記平板に固定されている、（１つ以上の）引出しを有する水平型冷凍庫が提供される。本発明のさらなる構造的特徴によると、前記後部横断棒材は、前記箱体の下部冷凍室の内部シェルの後壁に固定されている。
【０００８】
また、従来技術では箱体の２つの側面に直接固定されていた２つのレールとは異なって、本発明の滑動支持アセンブリの外側滑動支持部は、枠組構造を規定しており、２つのレールの間に設けられた前部および後部横断棒材によってそれぞれ平板および箱体の内部シェルの後壁に固定されているので、内側滑動支持部と外側滑動支持部との正確な嵌合が確保される。
【０００９】
本発明のさらなる構造的特徴によると、前記箱体のエバポレータは、コイル状管部と平面状曲折管部とに分けられ、前記コイル状管部は前記箱体の壁に埋め込まれており、前記平面状曲折管部は前記下部冷凍室の上部に露出している。前記コイル状管部は、前記下部冷凍室内でコネクタによって前記平面状曲折管部に接続されている。
【００１０】
エバポレータが上部冷凍室のコイル状管部および下部冷凍室の平面状曲折管部からなる場合は、コネクタによって互いに接続されるので、コイル状管部と平面状曲折管部とを別個に取り扱うことができる。従来技術では、エバポレータの上部冷凍室にある部分と下部冷凍室にある部分は、一般に、組立の前に溶接によって互いに接続される。このためエバポレータのサイズが大きくなり、その結果取り扱いが困難になり、したがって溶接の質が保証されない可能性がある。
【００１１】
本発明の実施形態を図面を参照しながら詳述する。
【００１２】
図面の簡単な説明
図１は、本発明による引出しを備えた水平型冷凍庫の前面図である。
【００１３】
図２は、図１に示す冷凍庫の長手方向の断面図であるが、上蓋、コンデンサおよびコンプレッサは断面を示したものではない。
【００１４】
図３は、図１の線Ａ−Ａに沿った断面図である。
【００１５】
図４は、図３のＢ領域の拡大図である。
【００１６】
図５は、図２に示す滑動支持アセンブリの斜視図である。
【００１７】
図６は、本発明で用いられるエバポレータの構造の模式図を示す。
【００１８】
好適な実施形態の詳細な説明
図１および図２を参照しながら、本発明による（１つ以上の）引出しを備えた水平型冷凍庫の実施形態を示す。冷凍庫は、一般に参照符号１で示され、上部冷凍室２２と下部冷凍室２１とを含む箱体８を有しており、上部冷凍室２２と下部冷凍室２１は平板１０によって仕切られている。上部冷凍室２２には上面入口が設けられ、下部冷凍室には側面入口が設けられている。図１に示すように、蓋２は、上部冷凍室への入口を閉塞するために、箱体８の上面に例えばヒンジ止めされている。上蓋２は、例えば発泡材料あるいは透明または半透明の材料で作製することができる。
【００１９】
図２に示すように、引出し１９は、滑動支持アセンブリ１８によって下部冷凍室２１に装着される。図５を参照すると、滑動支持アセンブリ１８は内側滑動支持部１８ａおよび外側滑動支持部１８ｂからなっている。図示するように、内側滑動支持部１８ａは引出し１９に固定され、外側滑動支持部は箱体８に固定されており、内側滑動支持部１８ａは、外側滑動支持部１８ｂの一対の案内レール１８ｂ−１および１８ｂ−２に滑動可能に装着されている。外側滑動支持部１８ｂは枠組構造を規定し、一対の長手方向に延伸するレール１８ｂ−１および１８ｂ−２ならびにこれらと連結された前部横断棒材１８ｂ−４および後部横断棒材１８ｂ−３を含んでおり、前部横断棒材１８ｂ−４は平板１０に固定され、後部横断棒材１８ｂ−３は下部冷凍室２１内で内部シェル５の後壁に固定されている。
【００２０】
箱体８は、実質的に外部シェルおよび内部シェルならびにこれらの間の充填材料からなっている。外部シェルは、上部前面パネル４、２つの対向する側面パネル１５および背面パネル１３を有しており、上部前面パネル４は、図３のＢ領域および図４におけるその拡大図を参照すると、例えば（図４の溶接継ぎ目によって示すような）溶接またはラッピングによって２つの対向する側面パネル１５に連結されている。上部前面パネル４の前表面は、引出し１９の前面パネル６の前表面と同一平面にある。前面パネル６もまた、透明または半透明の材料で作製することができる。
【００２１】
図２はまたエバポレータ１２も図示しており、これは、上部冷凍室２２の外部シェルと内部シェル３との間に設けられた上側部分１２と下部冷凍室２１の中の下側部分１６とを有する。エバポレータの上側部分は、発砲剤の注入前に外部シェルと内部シェル３との間に配置され、エバポレータの下側部分は、下部冷凍室２１の中で直接に露出している。図６に詳細に示すように、上側部分１２はコイル状の管であり、下側部分１６は平面状の曲折した管であって、これら２つの部分は下部冷凍室２１内でコネクタによって互いに接続されている。
【００２２】
本発明の例示的な実施形態を図面を参照して説明したが、当然のことながら、本明細書中の冷凍庫の冷凍室はその内部の温度が必ずしも冷凍温度より低いというわけではなく、エバポレータの位置を適切に変更することにより、１つまたは全ての室を凍結点よりも高い温度を有する冷蔵室に変えることができる。この場合は、本明細書中で言うところの冷凍庫は、実際には冷蔵庫または冷却箱の一種となる。さらに、冷凍庫は１つより多くの引出しを下部冷凍室に有することができる。したがって、本発明は上記の実施形態によって限定されるものではなく、本発明の精神および範囲から逸脱することなく多くの変更または変形をなしうることは明らかである。
【図面の簡単な説明】
【図１】
本発明による引出しを備えた水平型冷凍庫の前面図である。
【図２】
図１に示す冷凍庫の長手方向の断面図であるが、上蓋、コンデンサおよびコンプレッサは断面を示したものではない。
【図３】
図１の線Ａ−Ａに沿った断面図である。
【図４】
図３のＢ領域の拡大図である。
【図５】
図２に示す滑動支持アセンブリの斜視図である。
【図６】
本発明で用いられるエバポレータの構造の模式図を示す。


【手続補正２】
【補正対象書類名】図面
【補正対象項目名】図３
【補正方法】変更
【補正の内容】
【図３】
2004518941.tif 000001
【手続補正３】
【補正対象書類名】図面
【補正対象項目名】図４
【補正方法】変更
【補正の内容】
【図４】
2004518941.tif 000002
【手続補正４】
【補正対象書類名】図面
【補正対象項目名】図６
【補正方法】変更
【補正の内容】
【図６】
2004518941.tif 000003